(57)【要約】      （修正有）【課題】使用の安全性を維持できる引掛シーリングローゼットを提供する。【解決手段】引掛シーリングローゼット２は、上部が開放され内部二側に一つの取り付け位置２０及び一つの取り付け孔２０２が設けられ、底部中央に穿孔２０６が開設される。穿孔の二側に浅い収容溝２０３が開設され、その上面に取り付け孔に対応する角溝が開設されて、固定用ナットを挿入するのに用いられ、カバー２０８が収容溝に挿入される。主ケーシング２０と導電ロッド２１２で構成され、平置板２１１に組み付け孔２１３とネジ孔２１４が開設される。これにより組み付け孔を取り付け孔に対応させるフック２１と、フックの組み付け孔内をとおり、さらに主ケーシングの取り付け孔内に進入し、端部は取り付け孔より突出し、角溝内の固定ナットと螺合される固定ボルト２２と、フックのネジ孔に対応し螺合される導電ボルト２３と、を包含する。【選択図】図３
0003192866.tif 000002
【実用新案登録請求の範囲】
【請求項１】
引掛シーリングローゼットにおいて、
主ケーシングであって、上部が開放され内部二側それぞれに一つの取り付け位置及び一つの取り付け孔が設けられ、底部中央に穿孔が開設され、該穿孔の二側に浅い収容溝が開設され、その上面に該取り付け孔に対応する角溝が開設されて、多角形の固定用ナットを挿入するのに用いられ、カバーが該浅い収容溝を被覆するように該浅い収容溝に挿入される、上記主ケーシングと、
フックであって、数量は二つとされ、平置板と上向きに起立してフック状を成す導電ロッドで構成され、該平置板に組み付け孔とネジ孔が開設され、該平置板はそれぞれ該主ケーシングの取り付け位置に対応し平に置かれ、これにより該組み付け孔を該取り付け孔に対応させる上記フックと、
固定ボルトであって、数量は二つとされ、それぞれ該フックの組み付け孔内をとおり、さらに該主ケーシングの取り付け孔内に進入し、後部は該取り付け孔より突出し、該角溝内の固定ナットと螺合される上記固定ボルトと、
導電ボルトであって、数量が二つとされ、それぞれが該フックのネジ孔に対応し螺合される上記導電ボルトと、
を包含することを特徴とする、引掛シーリングローゼット。
【請求項２】
請求項１記載の引掛シーリングローゼットにおいて、該浅い収容溝の上面にさらに夾持溝が開設され、該カバーの上面の該夾持溝に対応する位置には、弾性夾持体が設けられ、該カバーが該浅い収容溝内に置き入れられるとき、該弾性夾持体は該夾持溝内に進入し、これにより該カバーが該浅い収容溝を強固に夾持することを特徴とする、引掛シーリングローゼット。
【考案の詳細な説明】
【技術分野】
【０００１】
本考案は一種の引掛シーリングローゼットに係り、特に一種の、主ケーシングが組み立て用ボルトにより損壊することがなく、使用の安全性を維持できる引掛シーリングローゼットに関する。
【背景技術】
【０００２】
「引掛シーリングローゼット」は、高い所の固定位置（たとえば、天井）に取り付けられ、並びに電源と電気的に接続され、吊り下げ式電器（もっともよく見受けられるのは、シーリングランプ）と組み合わされて、使用する器具の電気的接続を達成する。一種の周知の引掛シーリングローゼット１は、図１、２に示されるようであり、主ケーシング１０、一組のフック１１、一組のセルフタッピンネジ１２、一組の導電ボルト１３、解除ボタン１４及びロック１５で構成されている。そのうち、該主ケーシング１０の上部は開放され、内部二側それぞれに取り付け位置１０１及び取り付け孔１０２が設けられ、そのうちの一側には取り付け位置１０１外に収容溝１０３が形成され、収容溝１０３の側辺に止め板１０４が設けられ、該主ケーシング１０の一つの壁体上に該収容溝１０３に対応する開口１０５が開設され、該主ケーシング１０の底部中央に穿孔１０６が開設されている。これらフック１１の数量は二つとされ、平置板１１１及び上向きに起立しフック状を呈する導電ロッド１１２で構成され、該平置板１１１上にさらに組み付け孔１１３とネジ孔１１４が設けられ、これらフック１１は平置板１１１によりそれぞれ該主ケーシング１０の取り付け位置１０１に対応し平らに置かれ、組み付け孔１１３が取り付け孔１０２に対応させられる。
【０００３】
これらセルフタッピンネジ１２の数量は二つとされ、それぞれこれら組み付け孔１１３に対応し、さらに力が加えられて下向きにこれら取り付け孔１０２内にねじ込まれて、該平置板１１１を締めつけ、これらフック１１を定位に固定し、並びに導電ロッド１１２を上向きに該主ケーシング１０より突出する状態とし、すなわち図２に示されるようにする。これらセルフタッピンネジ１２を下向きにこれら取り付け孔１０２にねじ込む時、その切削縁はすなわち、取り付け孔１０２内壁に対して破壊性の切削を行ない、ネジ山を形成して、ネジ止め式の組み立てを完成する。
【０００４】
これらフック１１は高い所で電源からの二極と接続され、電源がこれらフック１１に伝えられる。該主ケーシング１０の穿孔１０６は、吊り下げ式電器（図示せず）の導電用の電線を下から上に通し、電線の二端の裸部をさらにこれらネジ孔１１４の周りに設置し、その後、これら導電ボルト１３がそれぞれ通されてネジ孔１１４と緊密に螺合されて、電線の二端の裸部が圧迫され、こうしてこれらフック１１上の電源の二極がそれぞれ電線をとおり吊り下げ式電器に至り、使用される。
【０００５】
該解除ボタン１４及び該ロック１５は、共同で該主ケーシング１０の収容溝１０３内に収容され、並びに該解除ボタン１４上の弾性部１４１及び該ロック１５上の弾性部１５１が同時に該止め板１０４に当接する。該解除ボタン１４は別に押圧ブロック１４２及び押圧斜壁１４３を具え、該ロック１５は別に係止フック１５２及び受圧斜壁１５３を有する。組み立て後に、該押圧ブロック１４２は該主ケーシング１０の開口１０５部分に停留し、該押圧斜壁１４３は該受圧斜壁１５３に当接し、且つ該係止フック１５２は上向きに該主ケーシング１０より突出する。これらフック１１が高い所において電源より引かれた二極と接続される時、該係止フック１５２も対応して高い所の位置決め孔（図示せず）内に進入し位置決めされ、これにより、該引掛シーリングローゼット１が偏らないものとされ、これにより、これらフック１１と電源二極間に反転逸脱（分離）が不能となる。全体の引掛シーリングローゼット１が高所より取り外される時は、該押圧ブロック１４２を押圧することで、該押圧斜壁１４３に該受圧斜壁１５３を押動させ移動させる必要があり（同時に弾性部１４１、１５１が圧縮される）、これにより該係止フック１５２が連動して位置決め孔より離れ、それと同時に引掛シーリングローゼット１の主ケーシング１０を反転し、これらフック１１と電源二極間が逸脱（分離）し、すなわち、全体の引掛シーリングローゼット１が高所より取り外される。該押圧ブロック１４２に対する押圧を解除する時、これら弾性部１４１、１５１の弾力作用により、該解除ボタン１４及び該ロック１５が同時にもとの位置に戻る。
【０００６】
周知の引掛シーリングローゼット１の使用上の欠点は以下のとおりである。これらセルフタッピンネジ１２を下向きにこれら取り付け孔１０２内にねじ込むとき、これらセルフタッピンネジ１２は取り付け孔１０２内壁を破壊し、取り付け孔１０２内壁に変質を発生し、よくみられるのは、内壁が破壊され明らかな崩壊を発生し、該取り付け孔１０２の受力度と耐熱性を大幅にダウンさせることである。強制的に組み立てを完成して、即刻危険を発生しないため、使用者は一般にその潜在的な危険性に気づかないが、引掛シーリングローゼット１は高所に使用され且つ経常的に通電されるため、長期に使用した後に、重力を積載し通電することで発生する熱力は崩壊を深刻とし、及び耐熱性をよりダウンさせ、その臨界点を超越するとセルフタッピンネジ１２と取り付け孔１０２内壁間が強固に噛み合わなくなると、これらフック１１１は取り付け孔１０２より脱落し、吊り下げ式電器が脱落するか傾斜する危険があり、甚だしくは導電不正確を引き起して火災の可能性を発生し、ゆえに、実に改善が求められる。
【考案の概要】
【考案が解決しようとする課題】
【０００７】
周知の引掛シーリングローゼットの潜在的な危険性に対し、本考案は深く研究開発し改良し、一種の、使用上絶対的な安全性を有する引掛シーリングローゼットを提供することを目指し、多くの時間と努力を費やし、遂に本考案を創作した。
【０００８】
ゆえに、本考案の主要な目的は、使用上、絶対的な安全性を有する引掛シーリングローゼットを提供することにある。
【課題を解決するための手段】
【０００９】
上述の目的を達成するため、本考案はすなわち、一種の引掛シーリングローゼットを設計し、それは、その構造構成上、少なくとも、主ケーシングであって、上部が開放され内部二側に一つの取り付け位置及び一つの取り付け孔が設けられ、底部中央に穿孔が開設され、該穿孔の二側に浅い収容溝が開設され、その上面に該取り付け孔に対応する角溝が開設されて、固定用ナットを挿入するのに用いられ、カバーが該浅い収容溝を被覆するように該浅い収容溝に挿入される、上記主ケーシングと、フックであって、数量は二つとされ、平置板と上向きに起立してフック状を成す導電ロッドで構成され、該平置板に組み付け孔とネジ孔が開設され、該平置板はそれぞれ該主ケーシングの取り付け位置に対応し平に置かれ、これにより該組み付け孔を該取り付け孔に対応させる上記フックと、固定ボルトであって、数量は二つとされ、それぞれ該フックの組み付け孔内をとおり、さらに該主ケーシングの取り付け孔内に進入し、後部は取り付け孔より突出し、該角溝内の固定ナットと螺合される上記固定ボルトと、導電ボルトであって、数量が二つとされ、それぞれが該フックのネジ孔に対応し螺合される上記導電ボルトと、を包含する。
【００１０】
上述の引掛シーリングローゼットにおいて、該浅い収容溝の上面にさらに夾持溝が開設され、該カバーの上面の該夾持溝に対応する位置には、弾性夾持体が設けられ、該カバーが該浅い収容溝内に置き入れられるとき、該弾性夾持体は該夾持溝内に進入し、これにより該カバーが該浅い収容溝を強固に夾持する。
【考案の効果】
【００１１】
本考案によると、固定ボルトが該取り付け孔内へ進入するとき、該取り付け孔の内壁を破壊することがなく、ゆえに、該取り付け孔の内壁は、元来の組織を保持でき、完全に変質の状況を発生することがなく、またこれにより該取り付け孔の受力度及び耐熱性は影響を受けない。その優れた機能は、もともとの使用寿命を保持できることのほか、最も重要であるのは、使用過程中に、該固定ボルトと該取り付け孔間の正確な組み立て性を確保でき、吊り下げ式電器の突然の脱落或いは傾斜の危険を有さず、さらに、導電不正確による火災の発生を防止でき、確実に大幅に使用上の安全性をアップしていることにある。
【図面の簡単な説明】
【００１２】
【図１】周知の引掛シーリングローゼットの立体分解図である。
【図２】周知の引掛シーリングローゼットの組み合わせ断面図である。
【図３】本考案の実施例の斜め上方向から見た立体分解図である。
【図４】本考案の実施例の斜め下方向から見た立体分解図である。
【図５】本考案の実施例の組み合わせ平面図である。
【図６】本考案の実施例の組み合わせ断面図である。
【考案を実施するための形態】
【００１３】
以下に本考案の技術内容、構造特徴、達成する目的及び作用効果について、以下に例を挙げ並びに図面を組み合わせて詳細に説明する。
【００１４】
図３〜図６を参照されたい。本考案の実施例は引掛シーリングローゼット２とされ、それは構造構成上、主ケーシング２０、一組のフック２１、一組の固定ボルト２２、一組の導電ボルト２３、解除ボタン２４及びロック２５で構成される。そのうち、該主ケーシング２０の上部は開放され、内部二側それぞれに、取り付け位置２０１と取り付け孔２０２が設けられている。そのうちの一側にはさらに、取り付け位置２０１外に収容溝２０３が形成され、該主ケーシング２０の一つの壁体上に該収容溝２０３対応する開口２０５が開設され、該主ケーシング２０の底部中央に穿孔２０６が開設されている。これらフック２１の数量は二つとされ、平置板２１１及び上向きに起立しフック状を呈する導電ロッド２１２で構成され、該平置板２１１上にさらに組み付け孔２１３とネジ孔２１４が設けられ、これらフック２１は平置板２１１によりそれぞれ該主ケーシング２０の取り付け位置２０１に対応し平らに置かれ、組み付け孔２１３が取り付け孔２０２に対応させられる。
【００１５】
これら固定ボルト２２の数量は二つとされ、それぞれこれら組み付け孔２１３に対応し、さらに力が加えられて下向きにこれら取り付け孔２０２内にねじ込まれて、固定ボルト２２のネジ部の径度はやや取り付け孔２０２より小さいため、固定ボルト２２のネジ部はこれら取り付け孔２０２内に容易に進入し、図４、６に示されるように、これら固定ボルト２２の端部は取り付け孔２０２を通り取り付け孔２０２より突出し、角溝２０７１部分に停留し、さらに該角溝２０７１内において多角形の固定ナット２０２２に組み合わされ、これにより、これら固定ボルト２２と固定ナット２０２２の螺合動作により、これらフック２１がそれぞれ対応する取り付け位置２０１部分に取り付けられる。
【００１６】
これらフック２１の用途は周知の前述のフック１１と同じであり、高所において電源より引かれた二極に接続され、電源がこれらフック２１に伝えられる。該主ケーシング２０の穿孔２０６は、吊り下げ式電器（図示せず）の電源用電線を下から上に通すのに供され、電線の二つの端部の裸部はさらにそれぞれこれらネジ孔２１４の上にネジ孔２１４を囲むように置かれ、その後、これら導電ボルト２３がそれぞれネジ孔２１４にねじ込まれてネジ孔２１４と緊密に接合され、電線の二端の裸部を制圧し、これにより、これらフック２１に導かれた電源の二極はそれぞれ電線を介して吊り下げ式電器に伝えられてその使用に供される。
【００１７】
該解除ボタン２４及び該ロック２５は、共同で該主ケーシング２０の収容溝２０３内に収容され、並びに該ロック２５の底部に弾性部品２５１が嵌合され、該解除ボタン２４は別に押圧ブロック２４２及び押圧斜壁２４３を具え、該ロック２５は別に係止フック２５２及び受圧斜壁２５３を有する。組み立て後に、該押圧ブロック２４２は該主ケーシング２０の開口２０５部分に停留し、該押圧斜壁２４３は該受圧斜壁２５３に当接し、且つ該係止フック２５２は上向きに該主ケーシング２０より突出する。これらフック２１が高い所において電源より引かれた二極と接続される時、該係止フック２５２も対応して高い所の位置決め孔（図示せず）内に進入し位置決めされ、これにより、該引掛シーリングローゼット２が偏らないものとされ、これにより、これらフック２１と電源二極間に反転逸脱（分離）が不能となる。全体の引掛シーリングローゼット２が高所より取り外される時は、該押圧ブロック２４２を押圧することで、該押圧斜壁２４３に該受圧斜壁２５３を押動させ移動させる必要があり（同時に弾性部品２５１が圧縮される）、これにより該係止フック２５２が連動して位置決め孔より離れ、それと同時に引掛シーリングローゼット２の主ケーシング２０を反転し、これらフック２１と電源二極間が逸脱（分離）し、すなわち、全体の引掛シーリングローゼット２が高所より取り外される。該押圧ブロック２４２に対する押圧を解除する時、これら弾性部品２５１の弾力作用により、該解除ボタン２４及び該ロック２５が同時にもとの位置に戻る。
【００１８】
図４を参照されたい。該主ケーシング２０の底部の該穿孔２０６の二側にそれぞれ浅い収容溝２０７が開設され、その上面に該角溝２０７１（前述したとおり）と夾持溝２０７２が開設されて、該角溝２０７１の作用はすでに詳しく前述したとおりであり、該夾持溝２０７２は長方形の溝とされるのがよく、該角溝２０７１内でこれら固定ボルト２２と固定ナット２０２２の間の螺合動作が完成した後、該浅い収容溝２０７は、形状が対応するカバー２０８が置かれて遮蔽され、これにより、人体が該固定ナット２０２２に接触して感電する危険が防止され、それは、該カバー２０８の上面の、該夾持溝２０７２に対応する位置には、弾性夾持体２０８２が形成され、これにより、該カバー２０８が該浅い収容溝２０７内を遮蔽するとき、該弾性夾持体２０８２は該夾持溝２０７２内に進入し、安定した夾持作用を達成する。
【００１９】
本考案中、該固定ボルト２２が該取り付け孔２０２内へ進入するとき、該取り付け孔２０２の内壁を破壊することがなく、ゆえに、該取り付け孔２０２の内壁は、元来の組織を保持でき、完全に変質の状況を発生することがなく、またこれにより該取り付け孔２０２の受力度及び耐熱性は影響を受けない。その優れた機能は、もともとの使用寿命を保持できることのほか、最も重要であるのは、使用過程中に、該固定ボルト２２と該取り付け孔２０２間の正確な組み立て性を確保でき、吊り下げ式電器の突然の脱落或いは傾斜の危険を有さず、さらに、導電不正確による火災の発生を防止でき、確実に大幅に使用上の安全性をアップしていることにある。
【００２０】
総合すると、本考案の全体構造構成はいままでになく、且つ確実に予期された考案の目的及び使用機能を達成でき、実用新案登録の要件を満たす。
【符号の説明】
【００２１】
（周知の技術）
１  引掛シーリングローゼット
１０  主ケーシング
１０１  取り付け位置
１０２  取り付け孔
１０３  収容溝
１０４  止め板
１０５  開口
１０６  穿孔
１１  フック
１１１  平置板
１１２  導電ロッド
１１３  組み付け孔
１１４  ネジ孔
１２  セルフタッピンネジ
１３  導電ボルト
１４  解除ボタン
１４１  弾性部
１４２  押圧ブロック
１４３  押圧斜壁
１５  ロック
１５１  弾性部
１５２  係止フック
１５３  受圧斜壁
（本考案）
２  引掛シーリングローゼット
２０  主ケーシング
２０１  取り付け位置
２０２  取り付け孔
２０２２  固定ナット
２０３  収容溝
２０５  開口
２０６  穿孔
２０７  浅い収容溝
２０７１  角溝
２０７２  夾持溝
２０８  カバー
２０８２  弾性夾持体
２１  フック
２１１  平置板
２１２  導電ロッド
２１３  組み付け孔
２１４  ネジ孔
２２  固定ボルト
２３  導電ボルト
２４  解除ボタン
２４２  押圧ブロック
２４３  押圧斜壁
２５  ロック
２５１  弾性部品
２５２  係止フック
２５３  受圧斜壁
【図１】
0003192866.tif 000003
【図２】
0003192866.tif 000004
【図３】
0003192866.tif 000005
【図４】
0003192866.tif 000006
【図５】
0003192866.tif 000007
【図６】
0003192866.tif 000008